(57)【要約】【課題】長期にわたって光の透過性を維持することができる光学素子、レンズユニット、および撮像装置を提供することを目的とする。【解決手段】相互に屈折率が異なる、相互に不混和な、それぞれが光透過性を有する、水性液体および油性液体が内部に収容された、少なくとも所定の光軸方向については光を透過させる液体収容器と、液体収容器の内面の少なくとも一部を覆う、電圧の印加を受けて、水性液体あるいは油性液体と接触する面の分子の形状が変化して、面の親疎水性が変化する被覆膜と、被覆膜に対して電圧を印加するための電極とを備えたことを特徴とする。液体の境界面の形状を変化させるのに、液体に電荷を放電する必要がないため、液体が電気分解されて気泡が発生する不具合が回避され、長期にわたって光の透過性を維持することができる。【選択図】        図４
2006064947.tif 000002
【特許請求の範囲】
【請求項１】
相互に屈折率が異なる、相互に不混和な、それぞれが光透過性を有する、水性液体および油性液体が内部に収容された、少なくとも所定の光軸方向については光を透過させる液体収容器と、
前記液体収容器の内面の少なくとも一部を覆う、電圧の印加を受けて、前記水性液体あるいは油性液体と接触する面の分子の形状が変化して、該面の親疎水性が変化する被覆膜と、
前記被覆膜に対して電圧を印加するための電極とを備えたことを特徴とする光学素子。
【請求項２】
前記液体収容器の内面の、前記被覆膜に覆われた部分を除く部分の少なくとも一部を覆う、前記水性液体に対する濡れ性が前記油性液体に対する濡れ性よりも低い疎水膜を備えたことを特徴とする請求項１記載の光学素子。
【請求項３】
前記被覆膜は、ひも状の疎水部分の一端に親水部分が結合した構造を有する分子が該一端に対する他端で前記液体収容器の内面に接触して並んだ単分子膜であることを特徴とする請求項１記載の光学素子。
【請求項４】
前記被覆膜は、前記親水部分としてイオン性基を有する分子が並んだ単分子膜であることを特徴とする請求項３記載の光学素子。
【請求項５】
前記被覆膜は、前記疎水部分としてフッ素系アルキル鎖を有する分子が並んだ単分子膜であることを特徴とする請求項３記載の光学素子。
【請求項６】
前記電極は、前記液体収容器の壁の少なくとも一部を構成するものであり、
前記被覆膜は、前記電極の内面を覆うものであることを特徴とする請求項１記載の光学素子。
【請求項７】
前記電極は、金で構成されたものであり、
前記被覆膜は、前記電極の表面とアルカンチオールとが反応して生じた単分子膜であることを特徴とする請求項１記載の光学素子。
【請求項８】
前記電極は、インジウム−スズ−オキサイド電極であり、
前記被覆膜は、前記電極の表面とシランカップリング剤とが反応して生じた単分子膜であることを特徴とする請求項１記載の光学素子。
【請求項９】
相互に屈折率が異なる、相互に不混和な、それぞれが光透過性を有する、水性液体および油性液体が内部に収容された、少なくとも所定の光軸方向については光を透過させる液体収容器と、
前記液体収容器の内面の少なくとも一部を覆う、電圧の印加を受けて、前記水性液体あるいは油性液体と接触する面の分子の形状が変化して、該面の親疎水性が変化する被覆膜と、
前記被覆膜に対して電圧を印加するための電極とを備え、
前記電極に印加される電圧に応じて、前記水性液体と前記油性液体との境界面の形状が変化することを特徴とするレンズユニット。
【請求項１０】
相互に屈折率が異なる、相互に不混和な、それぞれが光透過性を有する、水性液体および油性液体が内部に収容された、少なくとも所定の光軸方向については光を透過させる液体収容器と、
前記液体収容器の内面の少なくとも一部を覆う、電圧の印加を受けて、前記水性液体あるいは油性液体と接触する面の分子の形状が変化して、該面の親疎水性が変化する被覆膜と、
前記被覆膜に対して電圧を印加するための電極と、
前記電極に電圧を印加することによって、前記水性液体と前記油性液体との境界面の形状を変化させる制御部と、
前記水性液体、および前記油性液体を通ってきた被写体光が表面に結像されて、該被写体光を表わす画像信号を生成する撮像素子とを備えたことを特徴とする撮像装置。
【発明の詳細な説明】
【技術分野】
【０００１】
本発明は、光を透過する光学素子、レンズユニット、および被写体光を結像して画像データを取得する撮像装置に関する。
【背景技術】
【０００２】
Ｃｈａｒｇｅ  Ｃｏｕｐｌｅｄ  Ｄｅｖｉｃｅ（ＣＣＤ）などといった固体撮像素子上に被写体の像を結像させて、その被写体を表す画像データを信号として取り込む電子スチールカメラや、写真フィルム上に写真撮影を行うフィルムカメラなどの中には、撮影画角を自在に設定するズーム機能を備えたものがあり、このようなカメラにはズームスイッチの操作に応じて焦点距離が変化する撮影レンズが備えられている。この撮影レンズは、一般に、複数のレンズエレメントの組み合わせからなる複合レンズであって、ズームスイッチによって設定された焦点距離に応じて複数のレンズエレメントの相対位置が調整される。このようなカメラにはカム機構が備えられており、ズームスイッチの操作に応じてそのカム機構がモータの回転を伝達することによって複数のレンズエレメントそれぞれが光軸方向に前後して相対位置が調整され、焦点距離が変化する。
【０００３】
また、複数のレンズエレメントの中にはピント調整用のフォーカスレンズもあり、このフォーカスレンズを移動させるレンズ駆動機構が上記カム機構とは別に配備されている場合もある。
【０００４】
近年、上述した、駆動機構を有する撮影レンズに替えて、相互に屈折率が異なる、相互に不混和な２種類の液体が内部に収容された焦点距離可変の液体レンズが提案されている（例えば、非特許文献１参照）。
【０００５】
この非特許文献１に提案された液体レンズには、相互に屈折率が異なる、相互に不混和な２種類の液体が内部に収容されており、これら２種類の液体のうちの一方の液体は導電性水溶液であり、もう一方の液体は絶縁性オイルである。これら２種類の液体は、短いガラス製のチューブの両端が、光透過性を有する透明なエンドキャップで塞がれた液体収容器の中に収容されている。また、このチューブの内壁と一方のエンドキャップの内壁とが撥水性膜で被覆されている。このように構成された液体レンズによれば、２種類の液体のうちの導電性水溶液が、撥水性膜で被覆されたチューブの内壁、および一方のエンドキャップの内壁と反撥することとなり、この導電性水溶液が、他方のエンドキャップに接触する状態で半球形状を有して滞留するため、導電性水溶液と絶縁性オイルとの界面部分が凹レンズとして機能する。また、この液体レンズには、導電性水溶液に対して電圧を印加するための２つの電極も備えられていて、これら２つの電極のうちの一方の電極は導電性水溶液に接するように配設され、他方の電極は撥水性膜の裏側に配設されている。このような電極に対して電圧が印加されると、導電性水溶液に接するように配設された電極からこの導電性水溶液中に電荷が放出され、放出された電荷が導電性水溶液中の、絶縁性オイルとの界面部分に溜まる現象が生じる。この界面部分に溜まった電荷と、この電荷とは逆極性の、撥水性膜の裏側に配設された電極に集まった電荷とがクーロン力によって引き合って、導電性水溶液中の電荷が撥水性膜付近に引き付けられる。その結果、導電性水溶液がチューブの内壁に被覆された撥水性膜を濡らし始めて、２種類の液体の界面形状が変化する。即ち、導電性水溶液に対して電圧が強くかけられるに従って、最初に凹レンズとして機能していた導電性水溶液の、絶縁性オイルとの界面部分の曲率半径が変化し、例えば、その界面部分が完全に平らになったり、その導電性水溶液が凸レンズとして機能するようになったりして、焦点距離が変化することとなる。
【０００６】
このような液体レンズによると、レンズを移動させずに焦点距離の変化などを行うことができるため、上述したカム機構やレンズ駆動機構などを設けなくても、ズーム機能やフォーカス機能を実現することができる。したがって、装置を大幅に小型化することができ、携帯電話などといった小型機器にも適用することができる。
【非特許文献１】"Ｐｈｉｌｉｐｓ´Ｆｌｕｉｄ  Ｌｅｎｓｅｓ"、［ｏｎｌｉｎｅ］、平成１６年３月３日、Ｒｏｙａｌ  Ｐｈｉｌｉｐｓ  Ｅｌｅｃｔｒｏｎｉｃｓ、［平成１６年３月３１日検索］、インターネット＜ＵＲＬ：ｈｔｔｐ：／／ｗｗｗ．ｄｐｒｅｖｉｅｗ．ｃｏｍ／ｎｅｗｓ／０４０３／０４０３０３０２ｐｈｉｌｉｐｓｆｌｕｉｄｌｅｎｓ．ａｓｐ＞
【発明の開示】
【発明が解決しようとする課題】
【０００７】
しかし、非特許文献１に記載された液体レンズによると、電極から放出された電荷によって導電性水溶液が電気分解されるため、長期にわたって使用していると、発生した気体が液体収容器内に溜まって気泡化してしまい、光の散乱が起こって光の透過率が低下してしまうという問題がある。
【０００８】
本発明は、上記事情に鑑み、長期にわたって光の透過性を維持することができる光学素子、レンズユニット、および撮像装置を提供することを目的とする。
【課題を解決するための手段】
【０００９】
上記目的を達成する本発明の光学素子は、相互に屈折率が異なる、相互に不混和な、それぞれが光透過性を有する、水性液体および油性液体が内部に収容された、少なくとも所定の光軸方向については光を透過させる液体収容器と、
液体収容器の内面の少なくとも一部を覆う、電圧の印加を受けて、水性液体あるいは油性液体と接触する面の分子の形状が変化して、その面の親疎水性が変化する被覆膜と、
被覆膜に対して電圧を印加するための電極とを備えたことを特徴とする。
【００１０】
本発明の光学素子によると、被覆膜に対して電圧が印加されることによって、被覆膜の、液体と接触する面の分子の形状が変化し、その面の親疎水性が変化することによって、水性液体と油性液体の境界面の形状が変化する。水性液体および油性液体に電荷が放出されることなく、水性液体と油性液体との境界面の形状が変化するため、液体が電気分解されて気泡が生じてしまう不具合が回避され、長期にわたって光の透過性が維持される。
【００１１】
また、本発明の光学素子は、上記液体収容器の内面の、被覆膜に覆われた部分を除く部分の少なくとも一部を覆う、水性液体に対する濡れ性が油性液体に対する濡れ性よりも低い疎水膜を備えたことが好ましい。
【００１２】
このような疎水膜が設けられることによって、水性液体と油性液体との境界面の形状が効率よく変化することとなる。
【００１３】
また、本発明の光学素子において、上記被覆膜は、ひも状の疎水部分の一端に親水部分が結合した構造を有する分子が一端に対する他端で液体収容器の内面に接触して並んだ単分子膜であることが好ましい。
【００１４】
例えば、一方の極性に偏った親水部分を有する分子で構成された単分子膜の場合、その単分子膜に対して電圧が印加されて、液体収容器の内面に親水部分とは逆極性を有する電荷が集まると、その親水部分が液体収容器の電荷に引き付けられる。その結果、ひも状の疎水部分が折れ曲がって親水部分が液体収容器の内面に近づき、その折れ曲がった疎水部分が液体と対向することによって、単分子膜が疎水的に変化する。また、単分子膜に対して、液体収容器の内面に親水部分と同極性の電荷が集まるように電圧が印加されると、その電荷と親水部分とが反撥しあい、折れ曲がっていた疎水部分が伸びて親水部分が液体と対向することによって、単分子膜が親水的に変化する。このように、被覆膜として単分子膜が設けられることによって、被覆膜の親疎水性が容易に変化する。
【００１５】
また、本発明の光学素子において、上記被覆膜は、親水部分としてイオン性基を有する分子が並んだ単分子膜であることが好ましい。
【００１６】
被覆膜として、イオン性基を有する単分子膜が設けられることによって、被覆膜の親水性が向上する。
【００１７】
また、本発明の光学素子において、上記被覆膜は、疎水部分としてフッ素系アルキル鎖を有する分子が並んだ単分子膜であることが好ましい。
【００１８】
被覆膜として、フッ素系アルキル鎖を有する単分子膜が設けられることによって、被覆膜の疎水性が向上する。
【００１９】
また、本発明の光学素子において、上記電極は、液体収容器の壁の少なくとも一部を構成するものであり、
上記被覆膜は、電極の内面を覆うものであることが好ましい。
【００２０】
電極上に被覆膜が設けられることによって、効率よく被覆膜に対して電圧が印加され、水性液体と油性液体との境界面の形状が精度良く変化することとなる。
【００２１】
また、本発明の光学素子において、上記電極は、金で構成されたものであり、
上記被覆膜は、電極の表面とアルカンチオールとが反応して生じた単分子膜であることが好適である。
【００２２】
本発明の好適な形態の光学素子によると、電極と被覆膜とが強く結合されるため、光学素子の光学性能が安定する。
【００２３】
また、本発明の光学素子において、上記電極は、インジウム−スズ−オキサイド電極であり、
上記被覆膜は、電極の表面とシランカップリング剤とが反応して生じた単分子膜であることも好ましい。
【００２４】
インジウム−スズ−オキサイド電極は透明であるため、このような電極が被覆膜で覆われることによって、光学素子の光透過性が向上する。
【００２５】
また、上記目的を達成する本発明のレンズユニットは、相互に屈折率が異なる、相互に不混和な、それぞれが光透過性を有する、水性液体および油性液体が内部に収容された、少なくとも所定の光軸方向については光を透過させる液体収容器と、
液体収容器の内面の少なくとも一部を覆う、電圧の印加を受けて、水性液体あるいは油性液体と接触する面の分子の形状が変化して、面の親疎水性が変化する被覆膜と、
被覆膜に対して電圧を印加するための電極とを備え、
電極に印加される電圧に応じて、水性液体と油性液体との境界面の形状が変化することを特徴とする。
【００２６】
本発明のレンズユニットによると、本発明の光学素子と同様に、長期にわたって光の透過性を維持することができる。
【００２７】
なお、本発明にいうレンズユニットについては、ここではその基本形態のみを示すのにとどめるが、これは単に重複を避けるためであり、本発明にいうレンズユニットには、上記の基本形態のみではなく、前述した光学素子の各形態に対応する各種の形態が含まれる。
【００２８】
また、上記目的を達成する本発明の撮像装置は、相互に屈折率が異なる、相互に不混和な、それぞれが光透過性を有する、水性液体および油性液体が内部に収容された、少なくとも所定の光軸方向については光を透過させる液体収容器と、
液体収容器の内面の少なくとも一部を覆う、電圧の印加を受けて、水性液体あるいは油性液体と接触する面の分子の形状が変化して、面の親疎水性が変化する被覆膜と、
被覆膜に対して電圧を印加するための電極と、
電極に電圧を印加することによって、水性液体と油性液体との境界面の形状を変化させる制御部と、
水性液体、および油性液体を通ってきた被写体光が表面に結像されて、被写体光を表わす画像信号を生成する撮像素子とを備えたことを特徴とする。
【００２９】
本発明の撮像装置によると、本発明の光学素子と同様に、長期にわたって光の透過性を維持することができる。
【００３０】
なお、本発明にいう撮像装置については、ここではその基本形態のみを示すのにとどめるが、これは単に重複を避けるためであり、本発明にいう撮像装置には、上記の基本形態のみではなく、前述した光学素子の各形態に対応する各種の形態が含まれる。
【発明の効果】
【００３１】
本発明によれば、長期にわたって光の透過性を維持することができる光学素子、レンズユニット、および撮像装置を提供することができる。
【発明を実施するための最良の形態】
【００３２】
以下、本発明の実施の形態を説明するのに先立って、上述した非特許文献１に記載された液体レンズの問題点について詳しく分析する。
【００３３】
図１は、比較例である液体レンズの概略構成図である。以下では、矢印Ｏの方向に光が透過するものとし、光の入射側（図１の上側）を上側、光の出射側（図１の下側）を下側と称する。
【００３４】
図１に示すように、液体レンズ１は、ガラス製のチューブ１１ａの両端がガラス製のキャップ１１ｂ，１１ｃで塞がれたガラス製の容器１１の内部に、支持電解質が加えられた透明な水２１と、絶縁性液体である透明な油２２とが互いに混じり合わずに収容されている。水２１よりも油２２の方が光の屈折率が大きいため、液体レンズ１では、油２２が光を屈折させるレンズの役割を担う。
【００３５】
容器１１の、チューブ１１ａの内面と、チューブ１１ａの上端を塞ぐキャップ１１ｂの内面は、撥水性を有する撥水性膜１５で覆われており、チューブ１１ａの下端を塞ぐキャップ１１ｃの内面は、親水性を有する親水性膜１６で覆われている。
【００３６】
また、チューブ１１ａと撥水性膜１５との間には、絶縁膜１４が設けられており、液体レンズ１には、水２１と接する第１電極１２と、絶縁膜１４によって水２１と絶縁された第２電極１３も備えられている。
【００３７】
第１電極１２と第２電極１３との相互間に電圧が印加されていない状態では、図１のパート（Ａ）に示すように、水２１は撥水性膜１５と反撥して親水性膜１６と接触するため、水２１と撥水性膜１５との接触部分Ｐ1が小さくなる。このため、水２１は半球形状に滞留し、水２１に押された油２２は円筒形状から半球を刳り貫いた形状に滞留する。油２２からみたときの、水２１と油２２との境界面の形状は凹状であるため、パート（Ａ）では、液体レンズ１は凹レンズとして機能する。
【００３８】
また、例えば、第１電極１２にプラスの電圧を印加し、第２電極１３にマイナスの電圧を印加すると、第１電極１２から水２１にプラス電荷３１ａが放出され、第２電極１３にはマイナス電荷３１ｂが溜まる。このとき、水２１に放出されたプラス電荷３１ａが、クーロン力によって第２電極１３のマイナス電荷３１ｂに引き付けられ、水２１と撥水性膜１５との接触部分Ｐ2が印加電圧に応じて大きくなる。パート（Ｂ）では、油２２からみたときの、水２１と油２２との境界面の形状は凸状となっており、液体レンズ１は凸レンズとして機能する。また、第１電極１２および第２電極１３に印加される電圧を調整することによって、水２１と油２２との境界面の形状を少しずつ変化させることができる。
【００３９】
このように、液体レンズ１によると、レンズを移動させる機構を設けなくても、水２１と油２２との境界面の形状を変化させることによって、ズーム機能やフォーカス機能を実現することができる。
【００４０】
ここで、液体レンズ１では、第１電極１２から放出されたプラス電荷３１ａなどによって、水２１が電気分解されて気体が発生する。ガラス製の容器１１は気体を通さないため、長期間のうちに気体が溜まって水２１や油２２中に気泡が生じてしまい、その気泡によって光の散乱が生じて光の透過性が劣化してしまうという問題がある。
【００４１】
本発明は、上記のような詳しい分析に基づいたものである。
【００４２】
以下図面を参照して本発明の実施の形態を説明する。
【００４３】
図２は、本発明の一実施形態が適用されたデジタルカメラを前面斜め上から見た外観斜視図である。
【００４４】
図２に示すように、このデジタルカメラ１００の前面中央部には、撮影レンズ１０１が備えられている。また、このデジタルカメラ１００の前面上部には、光学式ファインダ対物窓１０２および補助光発光部１０３が備えられている。さらに、このデジタルカメラ１００の上面には、スライド式の電源スイッチ１０４およびレリーズスイッチ１５０が備えられている。
【００４５】
図３は、図１に示すデジタルカメラ１００の概略構成図である。
【００４６】
図３に示すように、デジタルカメラ１００の内訳は、大きく分けて撮影光学系１１０と信号処理部１２０とに分かれる。デジタルカメラ１００には、それらのほかにも、撮影した画像を表示させるための画像表示部１３０、撮影した画像信号を記録しておくための外部記録媒体１４０、撮影のための各種処理をデジタルカメラ１００に行なわせる、ズームスイッチ１７０、撮影モードスイッチ１６０、およびレリーズスイッチ１５０が設けられている。
【００４７】
まず撮影光学系１１０の構成を、図３を参照して説明する。
【００４８】
デジタルカメラ１００では、図３の左方から被写体光が入射し、ズームレンズ１１５およびフォーカスレンズ１１４を経て、被写体光の光量を調整するアイリス１１３を通過した後、シャッタ１１２が開いている場合は固体撮像素子１１１に結像する。この固体撮像素子１１１は、本発明にいう撮像素子の一例に相当する。本来、撮影光学系には複数のレンズが配備され、それら複数のレンズのうち少なくとも１つのレンズがピント調節に大きく関与し、各レンズの相対位置が焦点距離に関与するが、この図３では、焦点距離の変更に係わるレンズをズームレンズ１１５として模式的に示しており、同じくピントの調節に係わるレンズをフォーカスレンズ１１４として模式的に示している。
【００４９】
ズームレンズ１１５、アイリス１１３、およびシャッタ１１２は、ズームモータ１１５ａ、アイリスモータ１１３ａ、およびシャッタモータ１１２ａによりそれぞれ駆動され移動する。また、フォーカスレンズ１１４には、モータの替わりに、フォーカスレンズ１１４のレンズ形状を変化させるフォーカスコントローラ１１４ａが設けられている。これらズームモータ１１５ａ、アイリスモータ１１３ａ、およびシャッタモータ１１２ａを作動させる指示は、信号処理部１２０中のデジタル信号処理部１２０ｂからモータドライバ１２０ｃを通じて伝達されるとともに、フォーカスコントローラ１１４ａを作動させる指示は、デジタル信号処理部１２０ｂから直接伝達される。
【００５０】
ズームレンズ１１５は、ズームモータ１１５ａによって光軸に沿う方向に移動される。ズームレンズ１１５が、信号処理部１２０からの信号に応じた位置に移動されることによって、焦点距離が変化して撮影倍率が決定される。
【００５１】
フォーカスレンズ１１４は、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、一般的には、光軸に沿う方向にフォーカスレンズを移動させながら、固体撮像素子１１１で得られた画像信号のコントラストを信号処理部１２０のＡＦ／ＡＥ演算部１２６で検出し、そのコントラストのピークが得られるレンズ位置をピント位置として、フォーカスレンズ１１４をピント位置に調節するものである。このＴＴＬＡＦ機能によって、コントラストがピークになる被写体（つまり、最も近くにある最近被写体）に自動的に焦点を合わせて撮影を行うことができる。本実施形態においては、フォーカスレンズ１１４を移動させる替わりに、フォーカスコントローラ１１４ａでフォーカスレンズ１１４のレンズ形状を変化させることによって、最近被写体に焦点を合わせる。このフォーカスレンズ１１４の構成と、レンズ形状を変化させる方法については、後で詳しく説明する。
【００５２】
アイリス１１３は、デジタル信号処理部１２０ｂのＡＦ／ＡＥ演算部１２６から与えられた指示に基づいて駆動されることによって、被写体光の光量を調整する。
【００５３】
以上が撮影光学系１１０の構成である。
【００５４】
続いて信号処理部１２０の構成を説明する。撮影光学系で固体撮像素子１１１に結像させた被写体像が画像信号としてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、画像表示制御部１２３、画像圧縮部１２４、メディアコントローラ１２５、ＡＦ／ＡＥ演算部１２６、キーコントローラ１２７、バッファメモリ１２８、内部メモリ１２９との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、画像表示制御部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、レリーズスイッチ１５０、ズームスイッチ、撮影モードスイッチのスイッチが操作されると、その操作されたという情報がキーコントローラ１２７を経由してシステムコントローラ１２１に伝えられ、その操作に応じた処理がシステムコントローラ１２１内のプログラムの手順にしたがって行われる。
【００５５】
レリーズ操作が行われると、固体撮像素子から読み出された画像データは、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。このデジタル化された画像データのＲＧＢ信号が画像信号処理部１２２でＹＣ信号に変換され、さらに画像圧縮部１２４でＪＰＥＧ圧縮と呼ばれる圧縮が行なわれて画像信号が画像ファイルとなってメディアコントローラ１２５を介して外部記録媒体１４０に記録される。この画像ファイルとして記録された画像データは、画像表示制御部１２３を通じて画像表示部１３０において再生される。この処理の際、ＲＧＢ信号に基づいてピント調節および露出調節の演算を行なっているのがＡＦ／ＡＥ演算部である。このＡＦ／ＡＥ演算部１２６ではピント調節のためにＲＧＢ信号から被写体距離ごとにコントラストを検出することが行なわれる。この検出結果に基づいて、フォーカスレンズ１１４によってピント調整が行われる。またＡＦ／ＡＥ演算部ではＲＧＢ信号から輝度信号が抽出され、そこから被写界輝度が検出される。この結果に基づき、固体撮像素子に与えられる被写体光の光量が適切になるように、アイリス１１３によって露出調節が行なわれる。
【００５６】
デジタルカメラ１００は、基本的には以上のように構成されている。
【００５７】
ここで、デジタルカメラ１００における本発明の特徴は、フォーカスレンズ１１４にある。以下では、このフォーカスレンズ１１４について詳しく説明する。
【００５８】
図４は、フォーカスレンズの概略構成図である。尚、図４のパート（Ａ）およびパート（Ｂ）それぞれにおいて、左側から矢印Ｏの方向に被写体光が入射し、光が入射する側（図４のパート（Ａ）およびパート（Ｂ）それぞれの左側）を前側、光が出射する側（図４のパート（Ａ）およびパート（Ｂ）それぞれの右側）を後側と称して説明を行う。
【００５９】
フォーカスレンズ１１４は、液体収容器２００内に、水性液体３０１と、水性液体３０１と不混和な油性液体３０２とが収容されて形成されている。
【００６０】
液体収容器２００は、円筒形状を有する複数の第１電極２０１が同軸上に並べられ、それら複数の第１電極２０１によって形成される円筒形状の両端がキャップ２０３，２０４で塞がれて構成されている。また、液体収容器２００の後側（図４の右側）には、後端の第１電極２０１との間にキャップ２０４を挟んで配置された第２電極２０２が設けられている。この液体収容器２００は、本発明にいう液体収容器の一例に相当する。
【００６１】
キャップ２０３，２０４は、透明なガラスで構成されている。前側（図４の左側）のキャップ２０３の、液体と接触する面（内面）は、疎水性を有する疎水性絶縁膜２０３ａで覆われており、後側（図４の右側）のキャップ２０４の内面は、親水性を有する親水性絶縁膜２０４ａで覆われている。これら疎水性絶縁膜２０３ａ、および親水性絶縁膜２０４ａは、液体収容器２００内の水性液体３０１と油性液体３０２の電気的な分解を抑制するためのものであり、第２電極２０２は、後側のキャップ２０４を覆う親水性絶縁膜２０４ａによって液体から絶縁されている。また、疎水性絶縁膜２０３ａ、および親水性絶縁膜２０４ａは、特に、水性液体３０１の位置を規制する役割も担い、疎水性絶縁膜２０３ａは、本発明にいう疎水膜の一例に相当する。本実施形態においては、ポリイミド膜のアルキル鎖の親疎水性が調整されたもののうち、疎水性のポリイミド系絶縁膜が疎水性絶縁膜２０３ａとして適用され、親水性のポリイミド系絶縁膜が親水性絶縁膜２０４ａとして適用される。
【００６２】
複数の第１電極２０１には、電圧印加／印加停止をそれぞれに切り替える複数のスイッチ２０５ａが設けられている。図３に示すフォーカスコントローラ１１４ａは、複数のスイッチ２０５ａそれぞれのＯＮ／ＯＦＦを制御することによって、複数の第１電極２０１それぞれと、第２の電極２０２との相互間に電源２０５から電圧を印加する。フォーカスコントローラ１１４ａは、本発明にいう制御部の一例に相当し、第１電極２０１および第２の電極２０２は、本発明にいう電極の一例に相当する。
【００６３】
また、複数の第１電極２０１が形成する円筒形状の内面は、電圧の印加を受けて親疎水性が変化する被覆膜２０６で覆われている。この被覆膜２０６は、本発明にいう被覆膜の一例に相当する。
【００６４】
ここで、一旦図４の説明を中断し、図５、図６、図７を用いて、第１電極２０１を覆う被覆膜２０６について説明する。
【００６５】
図５は、第１電極２０１として金電極を用いる場合の、被覆膜２０６の生成方法を示す図である。
【００６６】
まず、金で構成された第１電極２０１と、一端にクロロフェニルジフェニルメタンエステル基４１１を有するアルキル鎖４１２がフッ素置換されたアルカンチオール４１０のエタノール溶液を用意する（図５のステップＳ１）。
【００６７】
続いて、第１電極２０１をアルカンチオール４１０のエタノール溶液に浸漬させて、複数の分子４１３が、クロロフェニルジフェニルメタンエステル基４１１が第１電極２０１から遠い側にくるように、第１電極２０１表面に１つずつ並んで結合された単分子膜４００を形成する（図５のステップＳ２）。
【００６８】
さらに、単分子膜４００が形成された第１電極２０１を、トリフルオロ酢酸のエタノール溶液に浸漬させてクロロフェニルジフェニルメチル基を除去し、アルキル鎖４１２の、第１の電極２０１と結合された側とは逆側の端にカルボキシ基４１４を有する単分子膜２０６ａを形成する（図５のステップＳ３）。クロロフェニルジフェニルメチル基が除去された分子４１３´は、本発明にいう分子の一例に相当する。また、アルキル鎖４１２は疎水性を有しており、本発明にいう疎水部分の一例にあたるとともに、本発明にいうフッ素系アルキル基の一例に相当する。また、カルボキシ基４１４は親水性を有しており、本発明にいう親水部分の一例にあたるとともに、本発明にいうイオン性基の一例に相当する。このようにして形成された単分子膜２０６ａが被覆膜２０６として用いられる。
【００６９】
図６は、電圧が印加されたときの単分子膜２０６ａを示す図である。
【００７０】
例えば、フォーカスコントローラ１１４ａによって、第１電極２０１と、第２電極２０２との相互間に電圧が印加され、図６のパート（Ａ）に示すように、第１電極２０１にマイナス電荷２０１ａが集まると、マイナスに帯電したカルボキシ基４１４と第１電極２０１のマイナス電荷２０１ａとが反撥しあい、カルボキシ基４１４は、第１電極２０１から遠い側に移動する。この結果、単分子膜２０６ａの表面（第１電極２０１と接触している側と逆の面）が親水性を有するカルボキシ基４１４で覆われ、単分子膜２０６ａの表面に親水性が付与される。
【００７１】
また、フォーカスコントローラ１１４ａによって、第１電極２０１と、第２電極２０２との相互間に上記とは逆方向の電圧が印加され、図６のパート（Ｂ）に示すように、第１電極２０１にプラス電荷２０１ｂが集まると、マイナスに帯電したカルボキシ基４１４が第１電極２０１のプラス電荷２０１ｂに引き寄せられ、アルキル鎖４１２が折れ曲がってカルボキシ基４１４が第１電極２０１に接触する。この結果、単分子膜２０６ａの表面が疎水性を有するアルキル鎖４１２に覆われ、単分子膜２０６ａの表面に疎水性が付与される。
【００７２】
このように、被覆膜２０６は、電圧の印加に応じて親疎水性が変化する。尚、上記では、クロロフェニルジフェニルメタンエステル基４１１を有する分子４１３が用いられ、単分子膜２０６ａを生成する過程で、その分子からクロロフェニルジフェニルメチル基を除去することが行われるが、これは、単分子膜２０６ａを構成する分子４１３´同士の間隔を空けるために行われる。分子４１３´同士の間隔を空けることによって、図６のパート（Ｂ）に示すように、被覆膜２０６に疎水性を付与する際にアルキル鎖４１２が曲がりやすくなり、単分子膜２０６ａの電圧印加による反応精度が向上する。また、第１電極２０１ａとして金電極が用いられ、その金電極とアルカンチオール４１０とが反応させられることによって、第１電極２０１ａと強固に結合した単分子膜２０６ａが形成され、フォーカスレンズ１１４の耐久性が向上する。
【００７３】
続いて、第１電極２０１として、金電極の替わりにインジウム−スズ−オキサイド電極（ＩＴＯ電極）を用いる場合の被覆膜２０６の生成方法について説明する。
【００７４】
図７は、ＩＴＯ電極上に形成された被覆膜２０６を示す図である。
【００７５】
まず、ＩＴＯ電極２０１´を、クロロフェニルジフェニルメタンエステル基を片端に有するアルキル鎖４１２がフッ素置換されたシランカップリング剤のエタノール溶液に浸漬させて、ＩＴＯ電極２０１´上に、クロロフェニルジフェニルメタンエステル基を末端に有する単分子膜を形成する。
【００７６】
次に、ＩＴＯ電極２０１´をトリフルオロ酢酸のエタノール溶液に浸漬させて、クロロフェニルジフェニルメチル基を除去し、末端にカルボキシ基４１４を有する単分子膜２０６ｂを得る。この単分子膜２０６ｂを、被覆膜２０６として用いてもよい。
【００７７】
このようなＩＴＯ電極２０１´と単分子膜２０６ｂとが適用されることによって、透明な第１電極２０１と被覆膜２０６が形成され、フォーカスレンズ１１４の光透過性が向上する。
【００７８】
被覆膜２０６の説明を終了し、図４に戻って説明する。
【００７９】
以上のようにして構成された液体収容器２００に、相互に光屈折率が異なる水性液体３０１と、油性液体３０２とが収容される。本実施形態では、水性液体３０１として、エチレングリコール（屈折率１．４３）が適用され、油性液体３０２として、有機溶媒であるアイソパー（エクソン社製：屈折率１．４８）が適用される。この水性液体３０１は、本発明にいう水性液体の一例にあたり、油性液体３０２は、本発明にいう油性液体の一例に相当する。尚、エチレングリコールとアイソパーとの組み合わせは、０℃以下の温度環境下でも光学性能が保たれるという利点があるが、例えば、安価な液体の組み合わせとして、水性液体として水を用い、油性液体としてテトラリンを用いてもよい。
【００８０】
図３に示す信号処理部１２０からの指示に従って、フォーカスコントローラ１１４ａが複数の第１電極２０１それぞれと、第２電極２０２との間に電圧を印加し、複数の第１電極２０１それぞれをマイナスに帯電させると、図６のパート（Ａ）に示すように、被覆膜２０６は、液体と対向する側にカルボキシ基４１４が並んで親水性膜として機能する。このとき、水性液体３０１は、疎水性絶縁膜２０３ａと反撥して、親水性を有する被覆膜２０６および親水性絶縁膜２０４ａと接触するため、水性液体３０１と油性液体３０２との境界面が、例えば、図４のパート（Ａ）に実線で示すような形状に変化する。
【００８１】
また、図４のパート（Ａ）に示す状態から、例えば、複数の第１電極２０１のうち前側（図４の左側）にある複数の第１電極２０１それぞれをプラスに帯電させると、被覆膜２０６の、プラスに帯電された第１電極２０１に対応する部分は、図６のパート（Ｂ）に示すように、カルボキシ基４１４が第１電極２０１に引き付けられて、液体と対向する側にアルキル鎖４１２が並ぶ。この結果、被覆膜２０６の、プラスに帯電された第１電極２０１に対応する部分が疎水的に変化し、水性液体３０１と反撥しあうことによって、水性液体３０１と油性液体３０２との境界面が、例えば、図４のパート（Ｂ）に実線で示すような形状に変化する。
【００８２】
このフォーカスレンズ１１４を用いて、以下のような手順でＴＴＬＡＦ機能が実現される。
【００８３】
まず、フォーカスコントローラ１１４ａによって、複数の第１電極２０１それぞれと、第２電極２０２との相互間に電圧が印加されることによって、全ての第１電極２０１がマイナスに帯電されて、図６のパート（Ａ）に示すように、被覆膜２０６全体に親水性が付与される。
【００８４】
続いて、フォーカスコントローラ１１４ａによって、片側から順次にスイッチ２０５ａが入れられて、スイッチ２０５ａが入れられた第１電極２０１それぞれがプラスに帯電されることによって、水性液体３０１と油性液体３０２との境界面の形状が変えられながら、図３に示す固体撮像素子１１１で画像信号が取得される。続いて、撮像信号のコントラストがＡＦ／ＡＥ演算部１２６で検出され、コントラストのピークが得られるときの電圧が第１電極２０１、および第２電極２０２に印加される。このようにして、レンズ形状が確定された状態で撮影が行われることによって、被写体に焦点を合わせることができる。
【００８５】
尚、水性溶液３０１と油性溶液３０２との境界面の形状が変化される際には、被覆膜２０６に対して電圧が印加されればよく、液体中に電荷が放出される必要がないため、これらの液体が電気分解されて、気泡が発生する不具合が回避される。この結果、長期にわたって光の透過性が維持され、デジタルカメラ１００の寿命が向上する。
【００８６】
以上で、本発明の第１実施形態の説明を終了し、本発明の第２実施形態について説明する。第２実施形態のテレ／ワイドコンバータは、第１実施形態のフォーカスレンズ１１４（図４参照）とほぼ同じ構成を有し、また、テレ／ワイドコンバータは、図３に示すデジタルカメラに追加されるものであるため、図３を第２実施形態でも使い、図４に示すフォーカスレンズ１１４と同じ要素には同じ符号を付して、第１実施形態との相違点のみ説明する。
【００８７】
上述したように、図３では、撮影光学系１１０に備えられた複数のレンズのうち、焦点距離の変更に係わるレンズをズームレンズ１１５として模式的に示しており、同じくピントの調節に係わるレンズをフォーカスレンズ１１４として模式的に示している。
【００８８】
図８は、撮像光学系１１０に備えられる複数のレンズを示す図である。
【００８９】
撮像光学系１１０を構成するレンズ群５００には、最前列に配置される主レンズ５１０、図３に示すズームレンズ１１５を構成するバリエーダー５２０およびコンペンセータ５３０、図３のフォーカスレンズ１１４と同様の光学性能を有する複数のフォーカス用レンズ５４０などが含まれ、本実施形態では、さらに、フォーカス用レンズ５４０よりも後側に、前レンズ５５０ａと後レンズ５５０ｂとでなるテレ／ワイドコンバータ５５０が備えられている。このテレ／ワイドコンバータ５５０は、望遠／広角撮影を実現するものであり、デジタルカメラ１００に設けられたテレ／ワイド切替スイッチ（図示しない）に同期して作動する。テレ／ワイドコンバータ５５０は、レンズ群５００の後段に設けられることによって、レンズ径が小さくても、精度良く撮影画角を変化させることができる。
【００９０】
図９は、テレ／ワイドコンバータ５５０の簡略構成図である。
【００９１】
テレ／ワイドコンバータ５５０を構成する前レンズ５５０ａおよび後レンズ５５０ｂは、図４に示すフォーカスレンズ１１４とほぼ同様の構成を有するが、これら前レンズ５５０および後レンズ５５０ｂには、第１電極２０１が１つずつ設けられている。尚、以下では、油性液体３０２の屈折率が水性液体３０１の屈折率よりも大きいものとして説明する。
【００９２】
オペレータによって、テレ／ワイド切替スイッチ（図示しない）がワイド側に設定されたときには、前レンズ５５０ａでは、第１電極２０１がプラスに帯電されて、図６のパート（Ｂ）に示すように、被覆膜２０６が疎水的に変化する。このとき、図９のパート（Ａ）に示すように、油性液体３０２と水性液体３０１の液面の形状が、油性液体３０２から見たときに凹状になり、前レンズ５５０ａが凹レンズとして機能する。逆に、後レンズ５５０ｂでは、第１電極２０１がマイナスに帯電されて、図６のパート（Ａ）に示すように、被覆膜２０６が親水的に変化し、後レンズ５５０ｂが凸レンズとして機能する。
【００９３】
このとき、テレ／ワイドコンバータ５５０は、凹レンズ、凸レンズの順でレンズが配置されており、広角撮影を行うためのワイドコンバータとして機能する。
【００９４】
また、オペレータによって、テレ／ワイド切替スイッチ（図示しない）がテレ側に設定されたときには、図９のパート（Ｂ）に示すように、前レンズ５５０ａでは、第１電極２０１がマイナスに帯電されることによって、前レンズ５５０ａが凸レンズとして機能し、後レンズ５５０ｂでは、第１電極２０１がプラスに帯電されることによって、後レンズ５５０ｂが凹レンズとして機能する。
【００９５】
このとき、テレ／ワイドコンバータ５５０は、凸レンズ、凹レンズの順でレンズが配置されたものと同じ役割を担い、望遠撮影を行うためのテレコンバータとして機能する。
【００９６】
通常、広角／望遠撮影を行うためには、デジタルカメラ１００とは別に設けられたテレコンバータやワイドコンバータを、アダプタを介してデジタルカメラに装着する必要がある。しかし、本実施形態のデジタルカメラによると、テレコンバータやワイドコンバータを装着する手間やコストを省き、手軽に望遠／広角撮影を行うことができる。
【００９７】
ここで、上記では、液体収容器中に、水性液体と油性液体の２種類の液体が収容された例について説明したが、本発明にいう液体収容器には、３種類以上の液体が収容されていてもよい。
【００９８】
また、上記では、本発明の光学素子がフォーカスレンズ、テレコンバータ、およびワイドコンバータに適用される例について説明したが、本発明の光学素子は、ズームレンズなどに適用されてもよい。
【００９９】
続いて、本発明を構成する各構成部分において採用可能な種々の形態について付記する。
【０１００】
本発明にいう水性液体、および油性液体は、親疎水性および屈折率が互いに異なり、互いに混合しない２種類以上の液体であればよい。
【０１０１】
これらの液体の組み合わせとしては、いかなるものであってもよいが、好ましくは、水と有機溶媒、あるいは有機溶媒同士の組み合わせである。
【０１０２】
疎水性有機溶媒としては、好ましくは、炭化水素（ヘキサン、ヘプタン、ペンタン、オクタン、アイソパー（エクソン社製）など）、炭化水素系芳香族化合物（ベンゼン、トルエン、キシレン、メシチレンなど）、ハロゲン系炭化水素（ジフルオロプロパン、ジクロロエタン、クロロエタン、ブロモエタンなど）、ハロゲン系炭化水素系芳香族化合物（クロロベンゼンなど）、エーテル系化合物（ジブチルエーテル、アニソール、ジフェニルエーテルなど）、シリコーンオイルが好ましい。また、フッ素置換された溶媒も好ましい。
【０１０３】
また、親水性有機溶媒としては、アルコール（メタノール、エタノール、エチレングリコール、ポリエチレングリコールなど）、エーテル（ジオキサン、テトラヒドロフラン、メチルセルソルブなど）、ケトン（アセトンなど）、ニトリル（アセトニトリル）、アミド（ホルムアミド）などが挙げられる。好ましくは、アルコールである。
【０１０４】
また、本発明にいう被覆膜は、単分子膜、ポリマーいずれでもよい。この被覆膜は、刺激によってその構造が変化し、結果的に、被覆膜の表面に位置する部位の親疎水性が変化する。
【０１０５】
また、本発明にいう被覆膜は、電極表面への単分子膜形成、表面グラフト重合などによって形成される。刺激に応答した構造変化を起こさせるためには、表面へ吸着している分子同士の間隔を、通常の単分子膜よりも長くすることが好ましい。そのためには、予め、立体的に大きな保護基をもつ分子を用いて単分子膜を形成し、その後、保護基を除去することで、イオン性基を有する単分子膜に変換する方法が好ましい。イオン性基としては、カルボキシ基、スルホ基、りん酸基が好ましい。また、保護基としては、トリフェニルメチル誘導体（例えば、トリフェニルメタン、クロロフェニルジフェニルメタン）、カルバゾール誘導体、ジフェニルメタン誘導体が好ましい。
【０１０６】
尚、親疎水性が電気的に変化する被覆膜に覆われた電極については、Ｓｃｉｅｎｃｅ，第２９９巻，２００３年，３７１〜３７４ページに記載された方法に準じて作製することができる。
【０１０７】
ここで、上記では、本発明の概念を実現するための基本的な実施形態について説明したが、本発明に採用する光学素子を実用化するにあたっては、光路上にゴミや水滴などが付着してレンズ性能が劣化してしまう不具合を防止するための工夫を施すことが好ましい。
【０１０８】
例えば、液体が収容された容器の光路と交わる外面（以下では、この面を光透過面と称する）に撥水性膜を付設することが好ましい。光透過面に撥水性を付与することによって、ゴミや水滴の付着などが防止され、光学素子の高い光透過性を維持することができる。この撥水性膜を構成する材料としては、シリコーン樹脂、オルガノポリシロキサンのブロック共重合体、フッ素系ポリマー、およびポリテトラフルオロエタンなどが好ましい。
【０１０９】
また、光学素子を構成する容器の光透過面に、親水性膜を付設することも好ましい。光透過面に親水撥油性を付与することによっても、ゴミの付着を防止することができる。この親水性膜としては、アクリレート系ポリマーで構成されたものや、非イオン性オルガノシリコーン系界面活性剤などといった界面活性剤を塗布したものなどが好ましく、親水性膜の作製方法としては、シラン系モノマーのプラズマ重合や、イオンビーム処理などを適用することができる。
【０１１０】
また、光学素子を構成する容器の光透過面に、酸化チタンなどといった光触媒を付設することも好ましい。光と反応した光触媒によって汚れなどが分解され、光透過面をきれいに保つことができる。
【０１１１】
また、光学素子を構成する容器の光透過面に、帯電防止膜を付設することも好ましい。容器の光透過面に静電気が溜まったり、電極によって帯電してしまうと、光透過面にゴミや埃がくっついてしまう恐れがある。光透過面に帯電防止膜を付設することによって、このような不要物の付着を防止し、光学素子の光透過性を維持することができる。この帯電防止膜は、ポリマーアロイ系の材料で構成されていることが好ましく、このポリマーアロイ系が、ポリエーテル系や、ポリエーテルエステルアミド系や、カチオン性基を有するものや、レオミックス（商品名、第一工業製薬株式会社）であることが特に好ましい。また、この帯電防止膜が、ミスト法によって作製されたものであることが好ましい。
【０１１２】
また、光学素子を構成する容器に、防汚性素材を適用しても良い。防汚性素材としてはフッ素樹脂が好ましいが、具体的には、含フッ素アルキルアルコキシシラン化合物や、含フッ素アルキル基含有ポリマー、オリゴマー等が好ましく、上記硬化性樹脂と架橋可能な官能基を有するものが特に好ましい。また、防汚性素材の添加量は、防汚性を発現する必要最低量であることが好ましい。
【図面の簡単な説明】
【０１１３】
【図１】比較例である液体レンズの概略構成図である。
【図２】本発明の一実施形態が適用されたデジタルカメラを前面斜め上から見た外観斜視図である。
【図３】図１に示すデジタルカメラの概略構成図である。
【図４】フォーカスレンズの概略構成図である。
【図５】第１電極２０１として金電極を用いる場合の、被覆膜２０６の生成方法を示す図である。
【図６】電圧が印加されたときの単分子膜２０６ａを示す図である。
【図７】ＩＴＯ電極上に形成された被覆膜２０６を示す図である。
【図８】撮像光学系１１０に備えられる複数のレンズを示す図である。
【図９】テレ／ワイドコンバータ５５０の簡略構成図である。
【符号の説明】
【０１１４】
１    液体レンズ
１１    容器
１１ａ    チューブ
１１ｂ，１１ｃ    キャップ
１２    第１電極
１３    第２電極
１４    絶縁膜
１５    撥水性膜
１６    親水性膜
２１    水
２２    油
１００    デジタルカメラ
１０１    撮影レンズ
１０２    光学式ファインダ対物窓
１０３    補助光発光部
１０４    電源スイッチ
１１０    撮影光学系
１１１    固体撮像素子
１１２    シャッタ
１１２ａ    シャッタモータ
１１３    アイリス
１１３ａ    アイリスモータ
１１４    フォーカスレンズ
１１４ａ    フォーカスコントローラ
１１５    ズームレンズ
１１５ａ    ズームモータ
１２０    信号処理部
１２０ａ    アナログ処理（Ａ／Ｄ）部
１２０ｂ    デジタル信号処理部
１２０ｃ    モ−タドライバ
１２１    システムコントローラ
１２２    画像信号処理部
１２３    画像表示制御部
１２４    画像圧縮部
１２５    メディアコントローラ
１２６    ＡＦ／ＡＥ演算部
１２７    キーコントローラ
１２８    バッファメモリ
１２９    内部メモリ
１２００    バス
１３０    画像表示部
１４０    外部記録媒体
１５０    レリーズスイッチ
１６０    撮影モードスイッチ
１７０    ズームスイッチ
２００    液体収容器
２０１    第１電極
２０１´    ＩＴＯ電極
２０２    第２電極
２０３，２０４    キャップ
２０３ａ    疎水性絶縁膜
２０４ａ    親水性絶縁膜
２０５ａ    スイッチ
２０６    被覆膜
２０６ａ，２０６ｂ    単分子膜
３０１    水性液体
３０２    油性液体
４１１    クロロフェニルジフェニルメタンエステル基
４１２    アルキル鎖
４１０    アルカンチオール
４００    単分子膜
４１４    カルボキシ基
４１３，４１３´    分子
５００    レンズ群
５１０    主レンズ
５２０    バリエーダー
５３０    コンペンセータ
５４０    フォーカス用レンズ
５５０ａ    前レンズ
５５０ｂ    後レンズ
５５０    テレ／ワイドコンバータ
【図１】
2006064947.tif 000003
【図２】
2006064947.tif 000004
【図３】
2006064947.tif 000005
【図４】
2006064947.tif 000006
【図５】
2006064947.tif 000007
【図６】
2006064947.tif 000008
【図７】
2006064947.tif 000009
【図８】
2006064947.tif 000010
【図９】
2006064947.tif 000011